(57)【特許請求の範囲】
【請求項１】
弾性体により構成され、中央に略円形の開口部がある平板状の環状部を有するセードと、
平板状であり、外周の半径が上記開口部の半径より大きい略円板状の平板部と、上記平板部を吊り下げる吊り下げ部とを有する器具本体と
を備え、
上記平板部は、外周の一部を切り欠いた切り欠き部分を有し、
上記平板部の中心から上記切り欠き部分までの距離は、上記開口部の半径より小さく、
上記セードは、上記環状部の一部を上記切り欠き部分に引掛け、上記セードを弾性変形しながら回転させてねじり込むことにより、上記開口部に上記平板部を通し、上記環状部を上記平板部の上に乗せ掛けることを特徴とする照明器具。
【請求項２】
上記セードは、シリコンゴムまたは合成ゴムまたは天然ゴムまたは軟質弾性体により構成されていることを特徴とする請求項１に記載の照明器具。
【請求項３】
上記セードは、上記開口部に上記吊り下げ部が通り、上記平板部の上に乗せ掛けた状態とすることを特徴とする請求項１または請求項２に記載の照明器具。
【請求項４】
上記器具本体は、
上記平板部の上に位置し、上記平板部の上に乗せ掛けたセードと上記平板部との間に隙間を生じさせるスペーサーを有することを特徴とする請求項１乃至請求項３のいずれかに記載の照明器具。
【請求項５】
上記セードは、上記開口部の周囲に位置し、上記平板部の上に乗せ掛けた際、上記平板部との間に隙間を生じさせる突起部を有することを特徴とする請求項１乃至請求項４のいずれかに記載の照明器具。
【請求項６】
上記セードは、上端に上底面を有し中間に中底面を有する略筒状であり、上記上底面及び上記中底面それぞれに略同じ広さの上記開口部を有することを特徴とする請求項１乃至請求項５のいずれかに記載の照明器具。
【請求項７】
上記セードは、折り返し可能な薄肉部を有することを特徴とする請求項１乃至請求項６のいずれかに記載の照明器具。
【請求項８】
上記セードは、上記器具本体に接続するランプを覆う覆い部を有し、一体に成形されていることを特徴とする請求項１乃至請求項７のいずれかに記載の照明器具。
【発明の詳細な説明】
【技術分野】
【０００１】
この発明は、天井などから吊り下げて使用する照明器具に関する。
【背景技術】
【０００２】
ランプからの直接光を遮り、拡散することで光を和らげるセードを有する照明器具がある。セードは、例えば、ガラスなどにより構成される。照明器具の本体にセードを取り付ける方法としては、取付金具を用いて、固定する方法がある。
【特許文献１】特開平９−５５１０８号公報
【発明の開示】
【発明が解決しようとする課題】
【０００３】
取付金具などの別部品を用いてセードを固定すると、照明器具を構成する部品点数が多くなり、照明器具の製造コストが高くなる。
また、天井などから吊り下げて使用する照明器具では、セードを取り付ける作業が高所作業となるので、誤ってセードを落下させ、セードを破損する場合がある。
この発明は、例えば、上記のような課題を解決するためになされたものであり、照明器具を構成する部品点数を減らし、セードの取付作業を安全かつ容易にすることを目的とする。
【課題を解決するための手段】
【０００４】
この発明にかかる照明器具は、弾性体により構成され開口部を有するセードと、平板状であり外周が上記開口部の内周より広い平板部と上記平板部を吊り下げる吊り下げ部とを有する器具本体とを備えることを特徴とする。
【発明の効果】
【０００５】
この発明にかかる照明器具によれば、セードを平板部の上の乗せ掛けるだけで、セードを器具本体に取り付けることができるので、セード取り付けのための別部品が不要であり、器具本体にセードを容易に取り付けることができる。
【発明を実施するための最良の形態】
【０００６】
実施の形態１．
実施の形態１について、図１〜図３を用いて説明する。
【０００７】
図１は、この実施の形態における照明器具８００の外観を示す斜視図である。
図２は、この実施の形態における照明器具８００の構造を示す側面視断面図である。
照明器具８００は、天井など（取付面）に設けられた引掛シーリングボディから吊り下げて使用するペンダント型照明である。照明器具８００は、器具本体１００とセード２００とを有する。
器具本体１００は、引掛シーリングボディから電力の供給を受け、セード２００内のランプ３００を点灯する。器具本体１００は、引掛シーリングキャップ１１０、シーリングカバー１２０、吊り下げコード１３０、飾りパイプ１４０、セード受１５０、ランプソケット１６０を有する。
引掛シーリングキャップ１１０は、引掛シーリングボディに引掛けて、照明器具８００を吊り下げるとともに、引掛シーリングボディから供給される電力を入力する。
シーリングカバー１２０は、引掛シーリングキャップ１１０を覆うカバーである。
吊り下げコード１３０（吊り下げ部）は、引掛シーリングキャップ１１０とランプソケット１６０とを物理的電気的に接続し、セード受１５０・ランプソケット１６０を吊り下げるとともに、引掛シーリングキャップ１１０が入力した電力を、ランプソケット１６０へ供給する。
ランプソケット１６０は、ランプ３００を物理的電気的に接続し、ランプ３００を保持するとともに、引掛シーリングキャップ１１０が入力した電力をランプ３００に供給し、ランプ３００を点灯する。
セード２００は、シリコンゴムなどの軟質弾性体で構成され、一体に成形されている。セード２００は、白濁半透明であり、ランプソケット１６０に接続したランプ３００の側面方向を覆い、ランプ３００から出た光を拡散して和らげる。
【０００８】
図３は、この実施の形態における照明器具８００の各部を示す分解正視図である。
器具本体１００において、セード受１５０は、平板部１５１、スペーサー１５２を有する。
平板部１５１（乗せ掛け部分）は、直径φ１５の円板状であり、吊り下げコード１３０によりほぼ水平に吊り下げられる。
スペーサー１５２は、平板部１５１の外周近くの上側に位置する突起である。スペーサー１５２は、複数あり、平板部１５１の外周に沿って等間隔に配置されている。
【０００９】
セード２００は、環状部２１２、覆い部２２０、ストッパー部２１４を有する。
環状部２１２（セード乗せ掛け部分）は、セード２００の上端に位置するリング状の平面であり、中央に直径φ２１の円形の開口部２１１を形成する。
覆い部２２０は、環状部２１２の外周に接続し、外側にやや膨らんだ円錐台側面状である。
開口部２１１の直径φ２１は平板部１５１の直径φ１５よりも小さく、開口部２１１の内周に囲まれた部分の面積は、平板部１５１の外周に囲まれた部分の面積よりも狭い。
ストッパー部２１４は、覆い部２２０の内側の面から内側方向に突出したリング状の突起である。ストッパー部２１４は、環状部２１２よりも下に位置し、環状部２１２との間の間隔は、平板部１５１及びスペーサー１５２を合わせた高さよりも大きい。また、ストッパー部２１４の内径は、平板部１５１の外径φ１５よりもわずかに小さい。
【００１０】
次に、照明器具８００を設置する手順を説明する。
【００１１】
まず、器具本体１００の引掛シーリングキャップ１１０を天井などに設置された引掛シーリングボディに引掛けて、器具本体１００を天井などから吊り下げる。
次に、吊り下げられた器具本体１００を、セード２００の開口部２１１に挿入する。セード２００は、軟質弾性体で構成されているので、外力を加えることにより変形することが可能である。開口部２１１を潰して楕円状にし、平板部１５１の直径φ１５よりも開口部２１１の長径を大きくして、平板部１５１を開口部２１１に通す。外力を除くと、セード２００は、弾性力により元の形状に戻り、環状部２１２をスペーサー１５２の上の乗せ掛けることができる。
最後に、ランプソケット１６０にランプ３００を接続する。
【００１２】
セード２００と平板部１５１との間には、スペーサー１５２による隙間（放熱用通気口）が生じる。ランプ３００の発熱により暖められた空気は、この隙間を通って平板部１５１の上へ抜け、開口部２１１からセード２００の外部に放出される。これにより、ランプ３００の放熱効率が高くなる。
【００１３】
このように、セード２００を平板部１５１の上に乗せ掛けることにより、セード２００を器具本体１００に取り付けることができるので、セード２００を器具本体１００に固定するための別部品（取付金具など）は不要であり、照明器具８００の部品点数を少なくすることができる。また、セード２００取り付け時に締付け作業がないので、締め込み力が強すぎてセード２００を破損する可能性がない。セード２００を弾性変形させて平板部１５１を通すだけで簡単に平板部１５１の上に乗せ掛けることができるので、取り付け作業が容易であり、誤ってセード２００を落下させる可能性が少なくなる。また、万一セード２００を落下させたとしても、セード２００が軟質弾性体で構成されているので、セード２００が破損しない。更に、セード２００を取り替える場合などにおいて、器具本体１００を天井などから取り外す必要がなく、天井などから器具本体１００を吊り下げたまま作業できるので、着脱性（組み立て性）が良い。
【００１４】
ストッパー部２１４の内径が平板部１５１の外径φ１５よりも小さいので、セード２００を平板部１５１の上に乗せ掛けたとき、セード２００がずれたり抜けたりするのを防ぐことができる。
【００１５】
この実施の形態における照明器具８００は、弾性体により構成され開口部２１１を有するセード２００と、平板状であり外周が上記開口部２１１の内周より広い平板部１５１と上記平板部１５１を吊り下げる吊り下げ部（吊り下げコード１３０）とを有する器具本体１００とを備えるので、セード２００を平板部１５１の上に乗せ掛けるだけで、セード２００を器具本体１００に取り付けることができる。
【００１６】
この実施の形態におけるセード２００は、上記開口部２１１に上記吊り下げ部（吊り下げコード１３０）が通り、上記平板部１５１の上に乗せ掛けた状態で使用するので、セード２００を器具本体１００に固定するための別部品などが不要であり、照明器具８００の部品点数を削減できる。これにより、照明器具８００の原材料を削減でき、省資源化を図り、照明器具８００の製造コストを抑えることができる。
【００１７】
この実施の形態における器具本体１００は、上記平板部１５１の上に位置し上記平板部１５１の上に乗せ掛けたセード２００と上記平板部１５１との間に隙間を生じさせるスペーサー１５２を有するので、ランプ３００の発熱により暖められた空気が隙間を通って平板部１５１の上へ抜け、開口部２１１からセード２００の外部へ放出することができる。これにより、照明器具８００の放熱効率を高めることができる。
【００１８】
この実施の形態におけるセード２００は、外力を加えることにより弾性変形し、上記開口部２１１に上記平板部１５１を通すことが可能となるので、器具本体１００を天井などから吊り下げたままの状態で、セード２００を器具本体１００に取り付けることができる。これにより、照明器具８００の取り付け作業を効率的に行うことができる。
【００１９】
逆に、セード２００を器具本体１００から取り外すことも容易なので、照明器具８００を廃棄する際、器具本体１００とセード２００とを容易に分別することができる。
【００２０】
なお、セード２００を構成する軟質弾性体（軟質弾性材）としては、シリコンゴムのほか、天然ゴムやその他の合成ゴムなどを使用してもよい。すなわち、セード２００を構成する軟質弾性体は、柔軟性と弾力とを備えた材料であればよい。更に、セード２００を構成する軟質弾性体は、紫外線や熱による硬化などの劣化をしにくい性質を有していることが好ましい。その点に鑑みるに、シリコンゴムは、セード２００の材料として最も適した材料の一つである。
【００２１】
実施の形態２．
実施の形態２について、図４〜図５を用いて説明する。
なお、実施の形態１で説明した照明器具８００と共通する部分については、同一の符号を付し、説明を省略する。
【００２２】
図４は、この実施の形態におけるセード受１５０の形状を示す平面図である。
セード受１５０は、切り欠き部１５３を有する。
切り欠き部１５３（切り欠き部分）は、平板部１５１の外周の一部を長方形状に切り欠いた部分である。平板部１５１の中心から切り欠き部１５３までの距離ｒ５３は、セード２００の開口部２１１の半径（φ２１／２）よりも小さい。
なお、平板部１５１の外周のうち、切り欠き部１５３により切り欠かれた部分の両脇の部分の先端を、先端部１５４と呼ぶ。
【００２３】
次に、照明器具８００を設置する手順を説明する。
器具本体１００を天井などに設置された引掛シーリングボディに引掛けて取り付ける工程及びランプ３００をランプソケット１６０に接続して取り付ける工程は、実施の形態１と同様である。
【００２４】
図５は、この実施の形態におけるセード２００を器具本体１００に取り付けるセード取り付け工程の手順を示す模式図である。
セード取り付け工程において、まず、ランプソケット１６０をセード２００の開口部２１１に挿入する（ａ）。次に、セード２００を少し傾けて、先端部１５４に環状部２１２を引掛ける（ｂ）。そして、セード２００（あるいは器具本体１００）を回転させてねじり込むことにより、環状部２１２を平板部１５１の上に乗せていく（ｃ）。環状部２１２が平板部１５１の上に完全に乗るまでねじり込み（ｄ）、セード取り付け工程が完了する。
【００２５】
このように、先端部１５４に環状部２１２を引掛けて回転することによりねじり込み、環状部２１２を平板部１５１の上に乗せることができるので、器具本体１００を天井などに取り付けたまま、セード２００を簡単に取り付けることができる。
【００２６】
この実施の形態におけるセード２００は、上記開口部２１１が略円形であり、上記平板部１５１は、外周の一部に切り欠き部分（切り欠き部１５３）がある略円板状であり、上記外周の半径（φ１５／２）が上記開口部２１１の半径（φ２１／２）よりも大きく、中心から上記切り欠き部分（切り欠き部１５３）までの距離ｒ５３が上記開口部２１１の半径（φ２１／２）よりも小さいので、切り欠き部分（切り欠き部１５３）に開口部２１１の周囲（環状部２１２）を引掛けてねじり込むことにより、セード２００を平板部１５１の上に乗せかけて、器具本体１００に取り付けることができる。これにより、セード２００の取り付け作業が容易になり、照明器具８００の取り付け作業を効率的に行うことができる。
【００２７】
実施の形態３．
実施の形態３について、図６を用いて説明する。
なお、実施の形態１及び実施の形態２で説明した照明器具８００と共通する部分については、同一の符号を付し、説明を省略する。
【００２８】
図６は、この実施の形態における照明器具８００の各部を示す分解正視図である。
器具本体１００において、セード受１５０は、平板部１５１の上にスペーサー１５２がない点が、実施の形態１で説明したセード受１５０と異なる。
セード２００は、環状部２１２の下側に突起部２１３を有する。
突起部２１３は、環状部２１２から下方向（セード２００の内側方向）に向かって突出した突起である。平板部１５１の上に環状部２１２を乗せ掛けたとき、突起部２１３の存在により、セード２００と平板部１５１との間に隙間（放熱用通気口）が生じる。これにより、スペーサー１５２がある場合と同様、ランプ３００の発熱により暖められた空気をセード２００の外部に放出し、ランプ３００の放熱効率を高めることができる。
【００２９】
このように、環状部２１２の下側に突起部２１３を設けることにより、セード２００と平板部１５１との間に隙間を生じさせるので、スペーサー１５２がなくても、ランプ３００を効率的に放熱することができる。
【００３０】
この実施の形態におけるセード２００は、上記開口部２１１の周囲に位置し、上記平板部１５１の上に乗せ掛けた際、上記平板部１５１との間に隙間を生じさせる突起部２１３を有するので、ランプ３００の発熱により暖められた空気が隙間を通って平板部１５１の上へ抜け、開口部２１１からセード２００の外部へ放出することができ、スペーサー１５２がなくても、照明器具８００の放熱効率を高めることができる。これにより、照明器具８００の部品数を減らし、照明器具８００の原材料を削減し、省資源化を図ることができるとともに、照明器具８００の製造コストを抑えることができる。
【００３１】
実施の形態４．
実施の形態４について、図７〜図８を用いて説明する。
なお、実施の形態１で説明した照明器具８００と共通する部分については、同一の符号を付し、説明を省略する。
【００３２】
図７は、この実施の形態における照明器具８００の各部を示す分解正視図である。
器具本体１００において、セード受１５０は、平板部１５１を有する。
平板部１５１は、直径φ１６の円板状であり、通気穴１５５を有する。
通気穴１５５は、平板部１５１に設けられた円形の貫通穴であり、ランプ３００の発熱により暖められた空気を照明器具８００の外部に逃がす。通気穴１５５は複数あり、平板部１５１の中心からほぼ等距離の位置に、ほぼ等間隔に設けられている。
【００３３】
セード２００は、略円筒状であり、覆い部２２０、上底部２３０、中底部２４０、二つのストッパー部２３４，２４４を有する。
覆い部２２０は、内径φ２２の略円筒側面状である。上底部２３０（上底面、第一の取り付け部）は、覆い部２２０の上端に位置する円形の底面であり、内径φ２３の円形の開口部２３１を有する。この例において、上底部２３０のほとんどを開口部２３１が占めているので、上底部２３０は、覆い部２２０の上端から内側方向に突出したリング状の突起のように見えるが、上底部２３０に占める開口部２３１の割合はもっと小さくてもよい。
中底部２４０（中底面、第二の取り付け部）は、覆い部２２０の中間に位置し、上底部２３０と平行な円形の平面である。中底部２４０は、内径φ２４の円形の開口部２４１を有する。開口部２４１の内径φ２４は、開口部２３１の内径φ２３とほぼ等しい。
平板部１５１の外径φ１６は、開口部２３１の内径φ２３及び開口部２４１の内径φ２４より大きい。また、覆い部２２０の内径φ２２は、平板部１５１の外径φ１６とほぼ等しいか、または、φ１６より大きい。
二つのストッパー部２３４，２４４は、覆い部２２０の内側の面から内側方向に突出したリング状の突起である。ストッパー部２３４は、上底部２３０と中底部２４０との間に位置し、上底部２３０との間の間隔は、平板部１５１の高さよりも大きい。ストッパー部２４４は、中底部２４０よりも下に位置し、中底部２４０との間の間隔は、平板部１５１の高さよりも大きい。また、二つのストッパー部２３４，２４４の内径は、ともに、平板部１５１の外径φ１５よりもわずかに小さい。
【００３４】
図８は、この実施の形態における照明器具８００の使用態様を示す側面視断面図である。
照明器具８００には、形状の異なる二種類のランプ３００，３５０を取り付けることができる。
ランプ３００は、ＪＩＳＣ７５０１などに定められる外形寸法の白熱電球、あるいは、それと外形寸法がほぼ等しい電球型蛍光灯である。ランプ３００が電球型蛍光灯である場合、白熱電球と同じ形状のエジソンベースの口金を有し、放電灯点灯装置を内蔵し、口金から電力を入力して、放電灯を点灯する。
ランプ３５０は、外形寸法が白熱電球と異なる電球型蛍光灯であり、やはり、白熱電球と同じ形状のエジソンベースの口金を有し、放電灯点灯装置を内蔵している。
ランプ３００とランプ３５０との最も大きな違いは、発光部の形状であり、ランプ３５０の発光部のほうが、ランプ３００の発光部よりも大きい。
【００３５】
照明器具８００にランプ３００を接続する場合、セード２００は、中底部２４０を平板部１５１に乗せ掛けた位置に取り付ける。また、照明器具８００にランプ３５０を接続する場合、セード２００は、上底部２３０を平板部１５１に乗せ掛けた位置に取り付ける。このように、平板部１５１を乗せ掛ける部分を変えることにより、ランプの大きさに合わせて、器具本体１００とセード２００との位置関係を変えることができる。
【００３６】
次に、照明器具８００を設置する手順を説明する。
器具本体１００を天井などに設置された引掛けシーリングボディに引掛けて取り付ける工程及びランプ３００をランプソケット１６０に接続して取り付ける工程は、実施の形態１と同様である。
セード取り付け工程において、ランプソケット１６０を開口部２３１に挿入し、セード２００を弾性変形させて、平板部１５１を開口部２３１に通す。照明器具８００にランプ３５０を取り付ける場合は、上底部２３０を平板部１５１に乗せ掛けて、セード取り付け工程が完了する。
照明器具８００にランプ３００を取り付ける場合、更に、平板部１５１を開口部２４１に通し、中底部２４０を平板部１５１に乗せ掛ける。
【００３７】
このように、簡単な作業で、ランプの大きさに合わせて、セード２００と器具本体１００との位置関係を変えることができる。
【００３８】
ストッパー部２３４は、上底部２３０を平板部１５１に乗せ掛けたとき、セード２００がずれたり抜けたりするのを防ぐ。ストッパー部２４４は、中底部２４０を平板部１５１に乗せ掛けたとき、セード２００がずれたり抜けたりするのを防ぐ。
【００３９】
この実施の形態におけるセード２００は、上端に上底面（上底部２３０）を有し中間に中底面（中底部２４０）を有する略筒状であり、上記上底面（上底部２３０）及び上記中底面（中底部２４０）それぞれに略同じ広さの上記開口部２３１，２４１を有するので、平板部１５１を乗せ掛ける開口部２３１，２４１を変えることにより、器具本体１００とセード２００との位置関係を容易に変更することができ、ランプの大きさに合わせた位置に、セード２００を取り付けることができる。これにより、一種類のセード２００で、複数種類のランプに対応可能となり、ランプごとに異なるセード２００を用意する必要がない。
照明器具８００の生産者にとっては、一種類のセード２００を製造すれば、複数種類のランプに対応できる照明器具８００を生産できるので、製造コストを削減でき、在庫リスクも少なくて済む。
また、消費者にとっては、部屋の模様替えなどにより、照明器具８００に取り付けるランプを変えようと思ったときであっても、セード２００を買い換える必要がなく、省資源化を図ることができる。
【００４０】
実施の形態５．
実施の形態５について、図９〜図１１を用いて説明する。
なお、実施の形態４で説明した照明器具８００と共通する部分については、同一の符号を付し、説明を省略する。
【００４１】
図９は、この実施の形態におけるセード２００の形状を示す側面視破断図である。
セード２００は、中底部２４０を有さず、薄肉部２５０を有する点が、実施の形態４と異なる。
薄肉部２５０は、覆い部２２０の下寄り外側に設けられた環状の溝（凹部）により、覆い部２２０の一部が肉薄になっている部分である。なお、覆い部２２０のうち、薄肉部２５０より下側の部分を、折り返し部２６０と呼ぶ。
薄肉部２５０は、セード２００の他の部分と比較して弾性力が弱く、折り返し部２６０を内側に折り返すことができる。これにより、セード２００の長さを変えることができる。
【００４２】
図１０は、この実施の形態における照明器具８００の使用態様を示す側面視断面図である。
照明器具８００は、実施の形態４と同様、形状の異なる二種類のランプ３００，３５０を取り付けることができる。
照明器具８００にランプ３００を取り付ける場合、折り返し部２６０を折り返して、セード２００を短くする。また、照明器具８００にランプ３５０を取り付ける場合、折り返し部２６０を折り返さず、セード２００が長い状態のまま使用する。
【００４３】
このように、接続するランプの大きさに合わせて、セード２００の長さを変えることができる。
【００４４】
この実施の形態におけるセード２００は、折り返し可能な薄肉部２５０を有するので、薄肉部２５０を折り返すか否かを変えることにより、セード２００の長さを容易に変更することができ、セード２００の長さを、ランプの大きさに合わせた長さにすることができる。これにより、一種類のセード２００で、複数種類のランプに対応可能となり、ランプごとに異なるセード２００を用意する必要がなく、省資源化を図ることができる。
【００４５】
図１１は、この実施の形態におけるセード２００の形状の別の例を示す側面視破断図である。
この例において、覆い部２２０の内側に溝を設けることにより、薄肉部２５０を形成している。このため、最初の例と異なり、薄肉部２５０において、折り返し部２６０を外側に折り返すことができる。
このように、折り返し部２６０を外側に折り返す構成としてもよい。
【００４６】
折り返し部２６０を外側に折り返すか内側に折り返すかの違いは、主に、照明器具８００の意匠性に影響する。
折り返し部２６０を外側に折り返す場合、折り返した折り返し部２６０が、照明器具８００のアクセントになる。
折り返し部２６０を内側に折り返す場合、折り返した折り返し部２６０は見えないが、折り返し部２６０の部分だけセード２００の厚みが増すので、ランプ３００を点灯すると、折り返し部２６０の部分が他と比較して暗くなり、照明器具８００のアクセントになる。
【００４７】
このように、折り返し部２６０を折り返すことにより、セード２００の長さを変えるだけでなく、照明器具８００にアクセントをつけ、意匠性を高めることができる。
なお、薄肉部２５０を複数設け、利用者の好みに合わせて、様々な折り返し方ができるように構成してもよい。
【図面の簡単な説明】
【００４８】
【図１】実施の形態１における照明器具８００の外観を示す斜視図。
【図２】実施の形態１における照明器具８００の構造を示す側面視断面図。
【図３】実施の形態１における照明器具８００の各部を示す分解正視図。
【図４】実施の形態２におけるセード受１５０の形状を示す平面図。
【図５】実施の形態２におけるセード２００を器具本体１００に取り付けるセード取り付け工程の手順を示す模式図。
【図６】実施の形態３における照明器具８００の各部を示す分解正視図。
【図７】実施の形態４における照明器具８００の各部を示す分解正視図。
【図８】実施の形態４における照明器具８００の使用態様を示す側面視断面図。
【図９】実施の形態５におけるセード２００の形状を示す側面視破断図。
【図１０】実施の形態５における照明器具８００の使用態様を示す側面視断面図。
【図１１】実施の形態５におけるセード２００の形状の別の例を示す側面視破断図。
【符号の説明】
【００４９】
１００  器具本体、１１０  引掛シーリングキャップ、１２０  シーリングカバー、１３０  吊り下げコード、１４０  飾りパイプ、１５０  セード受、１５１  平板部、１５２  スペーサー、１５３  切り欠き部、１５４  先端部、１５５  通気穴、１６０  ランプソケット、２００  セード、２１１，２３１，２４１  開口部、２１２  環状部、２１３  突起部、２１４，２３４，２４４  ストッパー部、２２０  覆い部、２３０  上底部、２４０  中底部、２５０  薄肉部、２６０  折り返し部、３００，３５０  ランプ、８００  照明器具。
【図１】
0005230275.tif 000002
【図２】
0005230275.tif 000003
【図３】
0005230275.tif 000004
【図４】
0005230275.tif 000005
【図５】
0005230275.tif 000006
【図６】
0005230275.tif 000007
【図７】
0005230275.tif 000008
【図８】
0005230275.tif 000009
【図９】
0005230275.tif 000010
【図１０】
0005230275.tif 000011
【図１１】
0005230275.tif 000012